(57)【要約】【課題】体型補正衣料の着用と共に、骨盤矯正ベルトも同時に着用することができ、着用者の胴回りに全体が露出することなく、その骨盤矯正ベルトが嵩張ったりすることのない体型補正衣料を提供する。【解決手段】衣料本体１に、着用者の腰回りを締め付ける骨盤矯正ベルト４、および着用者のヒップ下部および側部を締め付けるヒップアップベルト５を備え、前記骨盤矯正ベルト４は、前面部４ａ、４ａが衣料本体１の腰回り保持部２の外側に沿って配され、後面部４ｂが衣料本体１の腰回り保持部２の内側に沿って配され、先端部４ｃ、４ｃが着脱自在として連結されたものとしており、さらに前記ヒップアップベルト５は、前面部５ａ、５ａが衣料本体１のヒップ保持部３の前方の外側に沿って配され、後面部５ｂが衣料本体１のヒップ保持部３の内側に沿って配され、先端部５ｃ、５ｃが前記骨盤矯正ベルト４に連結されたものとしている。【選択図】図１
2017153504.tif 000002
【特許請求の範囲】
【請求項１】
衣料本体（１）に、着用者の腰回りを締め付ける骨盤矯正ベルト（４）、および着用者のヒップ下部および側部を締め付けるヒップアップベルト（５）を備え、前記骨盤矯正ベルト（４）は、前面部（４ａ、４ａ）が衣料本体（１）の腰回り保持部（２）の外側に沿って配され、後面部（４ｂ）が衣料本体（１）の腰回り保持部（２）の内側に沿って配され、先端部（４ｃ、４ｃ）が着脱自在として連結されたものとしており、さらに前記ヒップアップベルト（５）は、前面部（５ａ、５ａ）が衣料本体（１）のヒップ保持部（３）の前方の外側に沿って配され、後面部（５ｂ）が衣料本体（１）のヒップ保持部（３）の内側に沿って配され、先端部（５ｃ、５ｃ）が前記骨盤矯正ベルト（４）に連結されたものとしたことを特徴とする体型補正衣料。
【請求項２】
前記骨盤矯正ベルト（４）は、前面部（４ａ、４ａ）と後面部（４ｂ）の三分割体に分断され、前面部（４ａ、４ａ）の基端部（４ｄ、４ｄ）および後面部（４ｂ）の両端部（４ｆ、４ｆ）が腰回り保持部（２）の側方に固着され、前記ヒップアップベルト（５）は、前面部（５ａ、５ａ）と後面部（５ｂ）の三分割体に分断され、前面部（５ａ、５ａ）の基端部（５ｄ、５ｄ）および後面部（５ｂ）の両端部（５ｆ、５ｆ）がヒップ保持部（３）の側方に固着されたものとしたことを特徴とする請求項１記載の体型補正衣料。
【請求項３】
前記骨盤矯正ベルト（４）は、前面部（４ａ、４ａ）が腰回り保持部（２）の側方に設けた引出し孔（２ａ、２ａ）から引き出され、前記ヒップアップベルト（５）は、前面部（５ａ、５ａ）がヒップ保持部（３）の側方に設けた引出し孔（３ａ、３ａ）から引き出されたものとしたことを特徴とする請求項１記載の体型補正衣料。
【請求項４】
前記骨盤矯正ベルト（４）は、腰回り保持部（２）の一部分（２ｂ）に、後面部（４ｂ）が固着されたものとしたことを特徴とする請求項１記載の体型補正衣料。
【請求項５】
前記骨盤矯正ベルト（４）は、長さ調節自在としたことを特徴とする請求項１記載の体型補正衣料。
【請求項６】
前記骨盤矯正ベルト（４）は、先端部（４ｃ、４ｃ）の一方に雄型鉤ホック（６）が設けられ、他方に雌型鉤ホック（７）が設けられ、これらホックを互いに掛け合わせて連結されるようにしたことを特徴とする請求項５記載の体型補正衣料。
【請求項７】
前記骨盤矯正ベルト（４）は、引出し孔（２ａ、２ａ）から引き出された部分（４ｇ、４ｇ）がその引出し孔（２ａ、２ａ）の周囲に固着されたものとしたことを特徴とする請求項３記載の体型補正衣料。
【請求項８】
前記ヒップアップベルト（５）は、薄手の伸縮性ネット生地からなるものとしたことを特徴とする請求項１記載の体型補正衣料。
【請求項９】
前記ヒップアップベルト（５）は、ヒップ保持部（３）の中心線の下部（８）に、後面部（５ｂ）が固着されたものとしたことを特徴とする請求項１記載の体型補正衣料。
【請求項１０】
前記ヒップアップベルト（５）は、引出し孔（３ａ、３ａ）から引き出された部分（５ｇ、５ｇ）がその引出し孔（３ａ、３ａ）の周囲に固着されたものとしたことを特徴とする請求項３記載の体型補正衣料。
【発明の詳細な説明】
【技術分野】
【０００１】
この発明は、骨盤のずれなどの矯正や腰痛の解消、ヒップのシェイプアップなどを効果的に行うことができるガードルやスパッツ等の体型補正衣料に関するものである。
【背景技術】
【０００２】
従来、この種の体型補正衣料としては、例えば図１６、１７に示したように、身体に当接する部分をヒップ保持部１１と、脚包接部１２などの領域に区分けされるようにしたものが存在する（特許文献１）。
【０００３】
この体型補正衣料は、具体的には着用者のヒップ下方を支持する適切な幅の帯状のヒップ下支持部１３、ヒップ下支持部１３よりはみ出したヒップを下方または側方より支持するヒップ下部包囲部１４とヒップ側部包囲部１５、身体側方から背面側に当接する適切な幅の帯状の胴回り支持部１６を、内側すなわち身体側で衣料と縫い合わされている。
【０００４】
そして、この体型補正衣料は、ヒップ保持部１１を、着用者の身体に比較的弱く当接してヒップ全体を保持するようにし、ヒップ下支持部１３を、比較的強い緊締力でヒップの下部を支持するように帯状に形成し、ヒップ下部包囲部１４を、中程度の緊締力でヒップを持ち上げるように略帯状に形成し、ヒップ側部包囲部１５を、中程度の緊締力でヒップを側方より支持するように幅広い略半円状に形成している。
【０００５】
以上のように構成された従来の体型補正衣料では、比較的強い緊締力のヒップ下支持部１３によって支持されたヒップは、中程度の緊締力のヒップ下部包囲部１４で支持され、さらにヒップの側部から中程度の緊締力のヒップ側部包囲部１５でヒップ下支持部１３よりはみ出すヒップが支持され、それらの部分が比較的弱い緊締力のヒップ保持部１１で覆われることにより、極めて綺麗なヒップラインを作ることができ、常時着用することにより着用者のヒップのシェイプアップ効果を得ることができるとしている。
【先行技術文献】
【特許文献】
【０００６】
【特許文献１】特開２０１２−１２２１６８号公報
【発明の概要】
【発明が解決しようとする課題】
【０００７】
しかしながら、上記特許文献１に示された従来の体型補正衣料では、ヒップのシェイプアップ効果はあるものの、胴回り支持部１６近辺には特に工夫が凝らされていなかったため、骨盤のずれなどの矯正効果や腰痛の解消効果はまったく備えていなかった。
【０００８】
そのため、従来の体型補正衣料において、骨盤のずれなどの矯正効果や腰痛の解消効果を得ようとするには、市販の骨盤矯正ベルトを重ねて着用しなければならなかった。しかしながら、衣料のうえに骨盤矯正ベルトを重ねて着用するのが面倒であったり、骨盤矯正ベルトが着用者の胴回りに全体が露出して見苦しかったり、その骨盤矯正ベルトが嵩張ったりするという課題を有していた。
【０００９】
そこで、この発明は、上記従来の体型補正衣料が有する課題を解決するものであり、その衣料の着用と共に、骨盤矯正ベルトも同時に着用することができ、着用者の胴回りに部分的にしか露出せず、その骨盤矯正ベルトが嵩張ったりすることのない体型補正衣料を提供することを目的としてなされたものである。
【課題を解決するための手段】
【００１０】
そのため、この発明の体型補正衣料は、衣料本体１に、着用者の腰回りを締め付ける骨盤矯正ベルト４、および着用者のヒップ下部および側部を締め付けるヒップアップベルト５を備え、前記骨盤矯正ベルト４は、前面部４ａ、４ａが衣料本体１の腰回り保持部２の外側に沿って配され、後面部４ｂが衣料本体１の腰回り保持部２の内側に沿って配され、先端部４ｃ、４ｃが着脱自在として連結されたものとしており、さらに前記ヒップアップベルト５は、前面部５ａ、５ａが衣料本体１のヒップ保持部３の前方の外側に沿って配され、後面部５ｂが衣料本体１のヒップ保持部３の内側に沿って配され、先端部５ｃ、５ｃが前記骨盤矯正ベルト４に連結されたものとしている。
【００１１】
この発明の体型補正衣料において、前記骨盤矯正ベルト４は、前面部４ａ、４ａと後面部４ｂの三分割体に分断され、前面部４ａ、４ａの基端部４ｄ、４ｄおよび後面部４ｂの両端部４ｆ、４ｆが腰回り保持部２の側方に固着され、前記ヒップアップベルト５は、前面部５ａ、５ａと後面部５ｂの三分割体に分断され、前面部５ａ、５ａの基端部５ｄ、５ｄおよび後面部５ｂの両端部５ｆ、５ｆがヒップ保持部３の側方に固着されたものとしている。
【００１２】
この発明の体型補正衣料において、前記骨盤矯正ベルト４は、前面部４ａ、４ａが腰回り保持部２の側方に設けた引出し孔２ａ、２ａから引き出され、前記ヒップアップベルト５は、前面部５ａ、５ａがヒップ保持部３の側方に設けた引出し孔３ａ、３ａから引き出されたものとしている。
【００１３】
この発明の体型補正衣料において、前記骨盤矯正ベルト４は、腰回り保持部２の一部分２ｂに、後面部４ｂが固着されたものとしている。
【００１４】
この発明の体型補正衣料において、前記骨盤矯正ベルト４は、長さ調節自在としている。
【００１５】
この発明の体型補正衣料において、前記骨盤矯正ベルト４は、先端部４ｃ、４ｃの一方に雄型鉤ホック６が設けられ、他方に雌型鉤ホック７が設けられ、これらホックを互いに掛け合わせて連結されるようにしている。
【００１６】
この発明の体型補正衣料において、前記骨盤矯正ベルト４は、引出し孔２ａ、２ａから引き出された部分４ｇ、４ｇがその引出し孔２ａ、２ａの周囲に固着されたものとしている。
【００１７】
この発明の体型補正衣料において、前記ヒップアップベルト５は、薄手の伸縮性ネット生地からなるものとしている。
【００１８】
この発明の体型補正衣料において、前記ヒップアップベルト５は、ヒップ保持部３の中心線の下部８に、後面部５ｂが固着されたものとしている。
【００１９】
この発明の体型補正衣料において、前記ヒップアップベルト５は、引出し孔３ａ、３ａから引き出された部分５ｇ、５ｇがその引出し孔３ａ、３ａの周囲に固着されたものとしている。
【発明の効果】
【００２０】
この発明の体型補正衣料は、以上に述べたように構成されているので、その衣料の着用と共に、骨盤矯正ベルト４も同時に着用することができるので、非常に便利なものとなる。
【００２１】
さらに、この発明の体型補正衣料は、骨盤矯正ベルト４が着用者の胴回りの外部に部分的にしか露出せず、体裁よく着用することができる。
【００２２】
また、この発明の体型補正衣料は、骨盤矯正ベルト４がずれたり嵩張ったりすることなく、簡単に素早く着用することができる。
【図面の簡単な説明】
【００２３】
【図１】この発明の体型補正衣料の一実施形態を示す正面図である。
【図２】図１に示すこの発明の体型補正衣料の側面図である。
【図３】図１に示すこの発明の体型補正衣料の背面図である。
【図４】図１に示すこの発明の体型補正衣料の骨盤締付けベルトの衣料本体への装着状態を示す概略断面図である。
【図５】図１に示すこの発明の体型補正衣料のヒップアップベルトの衣料本体への装着状態を示す概略断面図である。
【図６】図１に示すこの発明の体型補正衣料の着用の仕方を示す説明図である。
【図７】図１に示すこの発明の体型補正衣料の着用の仕方を示す説明図である。
【図８】図１に示すこの発明の体型補正衣料の着用状態を、その着用者の斜め後方から見た状態を示す説明図である。
【図９】この発明の体型補正衣料の他の実施形態を示す正面図である。
【図１０】図９に示すこの発明の体型補正衣料の側面図である。
【図１１】図９に示すこの発明の体型補正衣料の背面図である。
【図１２】図９に示すこの発明の体型補正衣料から外した状態の骨盤締付けベルト、およびヒップアップベルトの斜視図である。
【図１３】図９に示すこの発明の体型補正衣料の着用の仕方を示す説明図である。
【図１４】図９に示すこの発明の体型補正衣料の着用の仕方を示す説明図である。
【図１５】図９に示すこの発明の体型補正衣料の着用状態を、その着用者の斜め後方から見た状態を示す説明図である。
【図１６】従来の体型補正衣料の着用状態を、その着用者の斜め後方から見た状態を示す説明図である。
【図１７】従来の体型補正衣料を着用者のヒップと当接する部分を視認できるように裏返した状態の説明図である。
【発明を実施するための形態】
【００２４】
以下、この発明の体型補正衣料を実施するための形態を図面に基づいて詳細に説明する。
【００２５】
この発明の体型補正衣料は、衣料本体１を、着用者の身体の腰部、ヒップ部、大腿部、大腿の付根部および上部を包み込む形状を有したものとしており、着用者の腰の正面側から背面側に当接する部分を腰回り保持部２とし、着用者のヒップを保持する部分をヒップ保持部３としている。
【００２６】
前記衣料本体１は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００２７】
前記衣料本体１は、着用者の腰回りを締め付ける骨盤矯正ベルト４、および着用者のヒップ下部および側部を締め付けるヒップアップベルト５を備えている。そして、前記骨盤矯正ベルト４は、前面部４ａ、４ａが衣料本体１の腰回り保持部２の外側に沿って配され、後面部４ｂが衣料本体１の腰回り保持部２の内側に沿って配され、先端部４ｃ、４ｃが着脱自在として連結されたものとしている。さらに、前記ヒップアップベルト５は、前面部５ａ、５ａが衣料本体１のヒップ保持部３の前方の外側に沿って配され、後面部５ｂが衣料本体１のヒップ保持部３の内側に沿って配され、先端部５ｃ、５ｃが前記骨盤矯正ベルト４に連結されたものとしている。
【００２８】
この発明の体型補正衣料は、図１〜８に示したように、前記骨盤矯正ベルト４は、前面部４ａ、４ａと後面部４ｂの三分割体に分断され、前面部４ａ、４ａの基端部４ｄ、４ｄおよび後面部４ｂの両端部４ｆ、４ｆが腰回り保持部２の側方に縫着されるなどして固着され、前記ヒップアップベルト５は、前面部５ａ、５ａと後面部５ｂの三分割体に分断され、前面部５ａ、５ａの基端部５ｄ、５ｄおよび後面部５ｂの両端部５ｆ、５ｆがヒップ保持部３の側方に縫着されるなどして固着されている。
【００２９】
前記骨盤矯正ベルト４は、少なくとも横方向に伸縮性を有する帯状の弾性生地よりなり、図示した例では、腰回り保持部２の一部分２ｂ、例えばヒップの中心線の上部位置に、後面部４ｂを縫着するなどして固着されたものとしているが、単に重ね合わせた状態として、その後面部４ｂを腰回り保持部２の内側に配されたものとしてもよい。また、この骨盤矯正ベルト４は、伸縮性のメッシュ生地からなるものとすることにより、通気性がよくなり、着用時のムレなどを防止することができる。
【００３０】
そして、前記骨盤矯正ベルト４は、先端部４ｃ、４ｃの一方に雄型鉤ホック６が設けられ、他方に雌型鉤ホック７が設けられ、これらホックを互いに掛け合わせて連結されるようにしている。前記雌型鉤ホック７は、長さ方向に多段に設けたものとしており、前記雄型鉤ホック６との掛け合わせる位置を変えることにより、骨盤矯正ベルト４を長さ調節自在として、着用者の腰回りの締め付ける強さを変えることができるようにしている。なお、前記雄型鉤ホック６に代えて雄型面ファスナー（図示せず）を用い、前記雌型鉤ホック７に代えて雌型面ファスナー（図示せず）を用いるなどして、同様に着用者の腰回りの締め付ける強さを変えることができるようにすることもできる。
【００３１】
前記ヒップアップベルト５は、縦方向および横方向に伸縮性を有する帯状の弾性生地よりなり、単に重ね合わせた状態として、後面部５ｂをヒップ保持部３の内側に配されたものとしてもよいが、図示したように、ヒップ保持部３の中心線の下部９に、その後面部５ｂを縫着するなどして固着されたものとして、そのヒップ保持部３の内側に配されたものとしている。また、このヒップアップベルト５は、薄手の伸縮性ネット生地からなるものとすることにより、通気性や肌当たりがよくなり、着用時のムレやカブレなどを防止することができる。
【００３２】
そして、前記ヒップアップベルト５の先端部５ｃ、５ｃは、前記骨盤矯正ベルト４の内側に重ね合わせ、連結したものとしている。したがって、前記骨盤矯正ベルト４の長さを調節することにより、このヒップアップベルト５の引張り度合も調節され、着用者のヒップアップの度合いを変えることができる。
【００３３】
さらに、この発明の体型補正衣料は、図９〜１５に示したように、前記骨盤矯正ベルト４は、前面部４ａ、４ａが腰回り保持部２の側方に設けた引出し孔２ａ、２ａから引き出され、先端部４ｃ、４ｃが着脱自在として連結されたものとしている。さらに、前記ヒップアップベルト５は、前面部５ａ、５ａがヒップ保持部３の側方に設けた引出し孔３ａ、３ａから引き出され、先端部５ｃ、５ｃが前記骨盤矯正ベルト４に連結されたものとしている。なお、前記引出し孔２ａ、２ａと引出し孔３ａ、３ａは、互いに繋がった一つの孔であっても、分れた別の孔であってもよい。
【００３４】
前記骨盤矯正ベルト４は、少なくとも横方向に伸縮性を有する帯状の弾性生地よりなり、図示した例では、腰回り保持部２の一部分２ｂ、例えばヒップの中心線の上部位置に、後面部４ｂを縫着するなどして固着されたものとしているが、単に重ね合わせた状態として、その後面部４ｂを腰回り保持部２の内側に配されたものとしてもよい。さらに、前記骨盤矯正ベルト４は、引出し孔２ａ、２ａから引き出された部分４ｇ、４ｇをその引出し孔２ａ、２ａの周囲に縫着するなどして固着されたものとしてもよい。このようにすることにより、体型補正衣料着用時に衣料本体１から骨盤矯正ベルト４が位置ずれしにくいものとなる。また、この骨盤矯正ベルト４は、伸縮性のメッシュ生地からなるものとすることにより、通気性がよくなり、着用時のムレなどを防止することができる。
【００３５】
そして、前記骨盤矯正ベルト４は、先端部４ｃ、４ｃの一方に雄型鉤ホック６が設けられ、他方に雌型鉤ホック７が設けられ、これらホックを互いに掛け合わせて連結されるようにしている。前記雌型鉤ホック７は、長さ方向に多段に設けたものとしており、前記雄型鉤ホック６との掛け合わせる位置を変えることにより、骨盤矯正ベルト４を長さ調節自在として、着用者の腰回りの締め付ける強さを変えることができるようにしている。なお、前記雄型鉤ホック６に代えて雄型面ファスナー（図示せず）を用い、前記雌型鉤ホック７に代えて雌型面ファスナー（図示せず）を用いるなどして、同様に着用者の腰回りの締め付ける強さを変えることができるようにすることもできる。
【００３６】
前記ヒップアップベルト５は、縦方向および横方向に伸縮性を有する帯状の弾性生地よりなり、単に重ね合わせた状態として、後面部５ｂをヒップ保持部３の内側に配されたものとしてもよいが、図示したように、ヒップ保持部３の中心線の下部８に、その後面部５ｂを縫着するなどして固着されたものとして、そのヒップ保持部３の内側に配されたものとしている。さらに、前記ヒップアップベルト５は、引出し孔３ａ、３ａから引き出された部分５ｇ、５ｇをその引出し孔３ａ、３ａの周囲に縫着するなどして固着されたものとしてもよい。このようにすることにより、体型補正衣料着用時に衣料本体１からヒップアップベルト５が位置ずれしにくいものとなる。また、このヒップアップベルト５は、薄手の伸縮性ネット生地からなるものとすることにより、通気性や肌当たりがよくなり、着用時のムレやカブレなどを防止することができる。
【００３７】
そして、前記ヒップアップベルト５の先端部５ｃ、５ｃは、前記骨盤矯正ベルト４の内側に重ね合わせ、連結したものとしている。したがって、前記骨盤矯正ベルト４の長さを調節することにより、このヒップアップベルト５の引張り度合も調節され、着用者のヒップアップの度合いを変えることができる。
【００３８】
この発明の体型補正衣料は、以上に述べたように構成されているので、図６および１３に示したように骨盤矯正ベルト４を連結しない状態で、衣料本体１を身につける。そして、着用後、骨盤矯正ベルト４の先端部４ｃ、４ｃを手に持ち、図７および１４に示したように腰の正面中心位置に先端部４ｃ、４ｃを引き寄せ、その使用者に適した締め付け位置で雄型鉤ホック６を雌型鉤ホック７に掛け合わせることにより、この体型補正衣料を着用することができる。
【００３９】
したがって、この発明の体型補正衣料は、その衣料の着用と共に、骨盤矯正ベルト４も同時に着用することができるので、非常に便利なものとなる。そして、この骨盤矯正ベルト４は、後面部４ｂが衣料本体１の腰回り保持部２の内側に沿って配されており、着用者の胴回りの外部に部分的にしか露出せず、体裁よく着用することができる。
【００４０】
また、この発明の体型補正衣料は、骨盤矯正ベルト４の後面部４ｂが衣料本体１の腰回り保持部２の内側に沿って配されているので、その腰回り保持部２の外側から骨盤矯正ベルト４を適当に重ね合わせて着用するのに比べ、ずれたり嵩張ったりすることもなく、簡単に素早く着用することができるものとなる。
【００４１】
さらに、この発明の体型補正衣料は、骨盤矯正ベルト４の長さを調節して、着用者の骨盤を締め付ける強さを変えることができるようにしているので、着用者の体重の増減などによる胴回りの変化に対応した締め付け強度や、その着用者の好みに合った締め付け強度にすることができ、汎用性に優れたものとなる。
【００４２】
また、この発明の体型補正衣料は、骨盤矯正ベルト４の長さを調節することにより、ヒップアップベルト５の引張り度合も調節されるので、着用者の体重の増減などによるヒップ回りの変化にも対応できるものとなる。
【符号の説明】
【００４３】
１  衣料本体
２  腰回り保持部
２ａ  引出し孔
２ｂ  一部分
３  ヒップ保持部
３ａ  引出し孔
４  骨盤矯正ベルト
４ａ  前面部
４ｂ  後面部
４ｃ  先端部
４ｄ  基端部
４ｆ  両端部
４ｇ  部分
５  ヒップアップベルト
５ａ  前面部
５ｂ  後面部
５ｃ  先端部
５ｄ  基端部
５ｆ  両端部
５ｇ  部分
６  雄型鉤ホック
７  雌型鉤ホック
８  下部
【図１】
2017153504.tif 000003
【図２】
2017153504.tif 000004
【図３】
2017153504.tif 000005
【図４】
2017153504.tif 000006
【図５】
2017153504.tif 000007
【図６】
2017153504.tif 000008
【図７】
2017153504.tif 000009
【図８】
2017153504.tif 000010
【図９】
2017153504.tif 000011
【図１０】
2017153504.tif 000012
【図１１】
2017153504.tif 000013
【図１２】
2017153504.tif 000014
【図１３】
2017153504.tif 000015
【図１４】
2017153504.tif 000016
【図１５】
2017153504.tif 000017
【図１６】
2017153504.tif 000018
【図１７】
2017153504.tif 000019